【手続補正書】
【提出日】平成19年10月15日(2007.10.15)
【手続補正１】
【補正対象書類名】明細書
【補正対象項目名】発明の名称
【補正方法】変更
【補正の内容】
【発明の名称】画像・音声再生制御装置及び方法
【手続補正２】
【補正対象書類名】明細書
【補正対象項目名】特許請求の範囲
【補正方法】変更
【補正の内容】
【特許請求の範囲】
【請求項１】  再生対象の複数の画像及び音声を読み出す読み出し手段と、
前記読み出し手段によって読み出される音声を再生するために要する時間を取得する音声再生時間取得手段と、
前記音声再生時間取得手段によって取得された時間に基づいて、再生される画像の切り替えの時間間隔を決定する決定手段と、
前記決定手段によって決定された時間間隔に従って前記読み出し手段で読み出した画像を切り替えて再生するよう画像音声再生装置を制御する制御手段とを有することを特徴とする画像・音声再生制御装置。
【請求項２】  前記決定手段は、前記音声再生時間取得手段によって取得された時間に基づいて画像の最短再生時間を決定し、
前記制御手段は、画像とともに再生される音声を再生するために要する時間が前記最短再生時間よりも短い場合、または、画像とともに再生される音声がない場合には、前記最短再生時間で画像を切り替えるよう制御することを特徴とする請求項１に記載の画像・音声再生制御装置。
【請求項３】  前記音声再生時間取得手段は複数の音声についてそれぞれ再生するために要する時間を取得し、
前記決定手段は前記音声再生時間取得手段によって取得された時間のうち、最短の時間を前記最短再生時間として決定することを特徴とする請求項２記載の画像・音声再生制御装置。
【請求項４】  前記決定手段によって決定された最短再生時間の変更をユーザから受け付ける受け付け手段を有することを特徴とする請求項２または３に記載の画像・音声再生制御装置。
【請求項５】  前記決定手段は、前記音声再生時間取得手段によって取得された時間に基づいて画像の最長再生時間を決定し、
前記制御手段は、画像とともに再生される音声を再生するために要する時間が前記最長再生時間より長い場合に、前記最長再生時間で画像を切り替えるよう制御することを特徴とする請求項１乃至４のいずれか１項に記載の画像・音声再生制御装置。
【請求項６】  前記音声再生時間取得手段は複数の音声についてそれぞれ再生するために要する時間を取得し、
前記決定手段は前記音声再生時間取得手段によって取得された時間のうち、最長の時間を画像の切り替えの最長の時間間隔として決定することを特徴とする請求項１乃至４のいずれか１項に記載の画像・音声再生制御装置。
【請求項７】  前記決定手段によって決定された最長再生時間の変更をユーザから受け付ける受け付け手段を有することを特徴とする請求項５または６に記載の画像・音声再生制御装置。
【請求項８】  前記音声は画像に付帯された音声データであることを特徴とする請求項１乃至７のいずれか一項に記載の画像・音声再生制御装置。
【請求項９】  画像の切り替えの時間間隔を前記読み出し手段で読み出される音声の再生時間とは無関係に一定時間に設定する一定時間設定手段と、
前記制御手段が音声とともに画像を切り替えて再生するよう制御する際に、切り替える時間間隔を前記決定手段によって決定された時間間隔とするか、前記一定時間設定手段によって設定された時間間隔とするかを選択する選択手段とを更に有することを特徴とする請求項１乃至８のいずれか１項に記載の画像・音声再生制御装置。
【請求項１０】  再生対象の複数の画像及び音声を読み出す読み出し工程と、
前記読み出し工程によって読み出される音声を再生するために要する時間を取得する音声再生時間取得工程と、
前記音声再生時間取得工程によって取得された時間に基づいて、再生される画像の切り替えの時間間隔を決定する決定工程と、
前記決定工程によって決定された時間間隔に従って前記読み出し工程で読み出した画像を切り替えて再生するよう前記画像音声再生装置を制御する制御工程とを有することを特徴とする画像・音声再生制御方法。
【請求項１１】  コンピュータを、
再生対象の複数の画像及び音声を読み出す読み出し手段、
前記読み出し手段によって読み出される音声を再生するために要する時間を取得する音声再生時間取得手段、
前記音声再生時間取得手段によって取得された時間に基づいて再生される画像の切り替えの時間間隔を決定する決定手段、
前記決定手段によって決定された時間間隔に従って前記読み出し手段で読み出した画像を切り替えて再生するよう画像音声再生装置を制御する制御手段
として機能させるためのプログラムを記憶したコンピュータが読み取り可能な記憶媒体。
【手続補正３】
【補正対象書類名】明細書
【補正対象項目名】０００４
【補正方法】変更
【補正の内容】
【０００４】
本発明は、上述した問題に鑑みてなされたものであり、画像と対応する音声データの長さに適した音声再生時間で画像を切り換えることを可能とした画像・音声再生制御装置を提供することを目的とする。
【手続補正４】
【補正対象書類名】明細書
【補正対象項目名】０００５
【補正方法】変更
【補正の内容】
【０００５】
【課題を解決するための手段】
上記の目的を達成するための本発明の一態様による画像・音声再生制御装置は以下の構成を有する。すなわち、
再生対象の複数の画像及び音声を読み出す読み出し手段と、
前記読み出し手段によって読み出される音声を再生するために要する時間を取得する音声再生時間取得手段と、
前記音声再生時間取得手段によって取得された時間に基づいて、再生される画像の切り替えの時間間隔を決定する決定手段と、
前記決定手段によって決定された時間間隔に従って前記読み出し手段で読み出した画像を切り替えて再生するよう画像音声再生装置を制御する制御手段とを有する。
【手続補正５】
【補正対象書類名】明細書
【補正対象項目名】０００６
【補正方法】変更
【補正の内容】
【０００６】
また、上記の目的を達成するための本発明の他の態様による画像・音声再生制御装置の制御方法は、
再生対象の複数の画像及び音声を読み出す読み出し工程と、
前記読み出し工程によって読み出される音声を再生するために要する時間を取得する音声再生時間取得工程と、
前記音声再生時間取得工程によって取得された時間に基づいて、再生される画像の切り替えの時間間隔を決定する決定工程と、
前記決定工程によって決定された時間間隔に従って前記読み出し工程で読み出した画像を切り替えて再生するよう前記画像音声再生装置を制御する制御工程とを有する。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】００２４
【補正方法】変更
【補正の内容】
【００２４】
以上説明したように、上記実施形態によれば、画像と対応する音声データの長さを考慮することで、音声再生時間に応じたスライドショーを行うことが可能である。具体的には、画像ごとの個別的な画像再生時間を決定し、決定した時間に従って画像及び音声を再生するようにすれば、過不足なく音声を再生できる。
【手続補正９】
【補正対象書類名】明細書
【補正対象項目名】００２７
【補正方法】変更
【補正の内容】
【００２７】
また、ユーザーからの音声の最短再生時間と最長再生時間の要請を受けて、実際の音声の再生時間が前記最短時間を超えて終了した場合は、その時点で画像を更新可能とし、一方最長再生時間を超えた場合には、その時点で画像の更新を可能とすることもできる。
【発明の効果】
以上のように、本発明によれば、画像とともに再生する音声データの長さを考慮することで、音声再生時間に応じたスライドショーを行うことが可能である。